(57)【要約】【課題】  落下等の衝撃による変形を確実に防止でき、且つ外観デザインの自由度を向上し得る操作つまみの変形防止構造を提供する。【解決手段】  筐体１１の上端に取付けた電子部品１２のシャフト２０にホルダ２１をビス２５により固定し、ホルダ２１に操作つまみ２２を取付ける。ホルダ２１は、下側にリング状のリブ２１ｂを一体に備え、その下側端を筐体１１の上端に位置させる。筐体１１は、ホルダ２１のリブ２１ｂの外周に沿ってリング状のリブ１９を上方に突出して設ける。操作つまみ２２に左方から矢印Ａで示す衝撃が加わった場合、ホルダ２１にはシャフト２０の基部Ｂ点を中心として時計方向に回転しようとし、リブ２１ｂの右下側端から下方に向かう負荷Ｃ、リブ２１ｂの左下側端から左方に向かう負荷Ｄが掛かる。上記負荷Ｃは筐体１１で受け止め、負荷Ｄは筐体１１のリブ１９で受け止めてシャフト２０の変形を抑える。【選択図】      図１
2010011329.tif 000002
【特許請求の範囲】
【請求項１】
電子機器の筐体と、前記筐体にシャフトが外方に突出して取付けられる電子部品と、前記電子部品のシャフトに取付けられるホルダ本体及び該ホルダ本体の前記筐体側に設けられる略リング状のリブからなるホルダと、前記ホルダ側リブの外周面に沿うように前記筐体に設けられる筐体側リブと、前記ホルダ本体に嵌合される操作つまみとを具備し、
前記操作つまみの側方から加わる衝撃に伴う前記ホルダの回転を前記ホルダ側リブに当接する前記筐体部分及び前記筐体側リブで受け止めて前記電子部品のシャフトの変形を防止することを特徴とする操作つまみの変形防止構造。
【発明の詳細な説明】
【技術分野】
【０００１】
本発明は、例えば携帯無線機に用いられる操作つまみの曲がりや折損等の変形を防止する操作つまみの変形防止構造に関する。
【背景技術】
【０００２】
携帯無線機は、一般に例えば音声ボリュームやチャネル切替用スイッチ等の調整用電子部品を備え、これらの電子部品のシャフトに操作つまみを嵌合させて取付けている。つまみ部分は、人がつまんで操作する部分であり、軟性の材料を使用することが望まれた場合、小さなシャフトとの嵌合だけでは回転可能範囲の終点位置でつまみ内部にストレスが掛かり空回りすることがあった。
【０００３】
また、携帯無線機における操作つまみは、操作性を良くするために携帯無線機の筐体から外部に出ていることが多く、落下等の衝撃によって曲がったり折れたりする変形が生じ易い。
【０００４】
上記携帯無線機における操作つまみの変形を防止するため、従来では筐体に倒れ防止のリブを突出して設け、このリブを操作つまみの内側に入れてつまみが倒れないようにする構造や、操作つまみの周囲に壁を設けて保護する方法、あるいは操作つまみの高さを低くして衝撃を受け難くし曲がらないようにする方法が用いられている。
【０００５】
しかし、上記従来のように操作つまみの内側にリブを配置する方法では、操作つまみが大型化する傾向にある。
【０００６】
また、操作つまみの周囲に保護壁を設ける方法や操作つまみを低くする方法は、外観デザインにそれらの形状を取り込んでおく必要がある。
【０００７】
上記従来における操作つまみの曲がり防止方法は、何れの方法も外観デザインへの影響が大きく、デザインを優先すると採用できない可能性がある。
【発明の開示】
【発明が解決しようとする課題】
【０００８】
上記のように従来の携帯無線機に取付けられる操作つまみは、回転可能範囲の終点位置で空回りしたり、落下等の衝撃によって曲がったり折れたりする変形が生じ易いという問題がある。
【０００９】
また、操作つまみの曲がりを防止する従来の操作つまみ曲がり防止方法は、何れの方法も外観デザインへの影響が大きく、デザインを優先すると採用できない可能性がある。
【００１０】
本発明は上記の課題を解決するためになされたもので、回転可能範囲の終点位置で空回りしたり、落下等の衝撃によって曲がったり折れたりする変形を確実に防止でき、且つ外観デザインの自由度を向上し得る操作つまみの変形防止構造を提供することを目的とする。
【課題を解決するための手段】
【００１１】
本発明に係る操作つまみの変形防止構造は、電子機器の筐体と、前記筐体にシャフトが外方に突出して取付けられる電子部品と、前記電子部品のシャフトに取付けられるホルダ本体及び該ホルダ本体の前記筐体側に設けられる略リング状のリブからなるホルダと、前記ホルダ側リブの外周面に沿うように前記筐体に設けられる筐体側リブと、前記ホルダ本体に嵌合される操作つまみとを具備し、
前記操作つまみの側方から加わる衝撃に伴う前記ホルダの回転を前記ホルダ側リブに当接する前記筐体部分及び前記筐体側リブで受け止めて前記電子部品のシャフトの変形を防止することを特徴とする。
【発明の効果】
【００１２】
本発明によれば、操作つまみに対して衝撃が加わった場合、衝撃に伴ってホルダ側リブに生じる負荷を筐体及び筐体側リブで受け止めてホルダの回転を防止し、電子部品のシャフトの変形を最小限に抑えることができる。また、高強度のシャフトを用いた高価な電子部品を使用する必要がなく、コストの低下を図ることができる。また、変形防止構造と外観部品を独立させることができ、外観デザインの表現の自由度が高くなり、色々な外観デザインへの応用が可能となる。
【００１３】
また、電子部品のシャフトにホルダを介して操作つまみを取付けることで、操作つまみが内接する面積を大きくでき、且つホルダと操作つまみに適宜凹凸成形を施すことで、操作つまみの空回りを確実に防止することができる。
【発明を実施するための最良の形態】
【００１４】
以下、図面を参照して本発明の一実施形態を説明する。
【００１５】
図１は本発明の一実施形態に係る操作つまみの変形防止構造を携帯無線機に実施した場合の例を示す要部分解斜視図、図２は要部の外観構成を示す正面図、図３は図２におけるＡ−Ａ線矢視断面図である。
【００１６】
図１〜図３において、１１は電子機器例えば携帯無線機の筐体で、強度を確保するために例えばダイカストを使用して構成される。上記筐体１１には、例えば上端部に音声ボリュームやチャネル切替用スイッチ等の電子部品１２ａ、１２ｂが取付けられる。また、筐体１１の外側には、カバー１４が設けられる。このカバーは、例えば合成樹脂を用いて構成され、上端部に電子部品１２ａ、１２ｂに対する開口部１５ａ、１５ｂが設けられている。
【００１７】
筐体１１に対する電子部品１２ａ、１２ｂの取付構造、及び電子部品１２ａ、１２ｂへの操作つまみの取付構造は同様であるので、以下、電子部品１２として説明する。
【００１８】
上記筐体１１の上端部には、図３に示すように部品取付穴１６が設けられ、この部品取付穴１６内に下側から電子部品１２の上端部がＯリング１７を介して挿入される。電子部品１２は、部品取付穴１６から上方に突出した部分の外側にネジ部が形成されており、このネジ部にナット１８が螺着されて筐体１１に固着される。電子部品１２には、上端中央部にシャフト２０が一定範囲回転可能に設けられている。
【００１９】
そして、上記電子部品１２のシャフト２０に円筒状のホルダ２１が装着され、このホルダ２１に例えば合成樹脂製の操作つまみ２２が取付けられる。ホルダ２１は、強度を確保するために例えばダイカストを使用して構成され、ホルダ本体２１ａの下側にリング状のリブ２１ｂが一体に設けられる。このリブ２１ｂは、ホルダ本体２１ａよりも径が大きく形成され、電子部品１２を固定しているナット１８の外側に位置し、且つその下側端が筐体１１の上端に摺接あるいは微小な間隔を保って近接して位置するように設けられる。
【００２０】
一方、筐体１１側においても、電子部品１２のシャフト２０に取付けられたホルダ２１のリブ２１ｂに対し、その全外周に沿って位置するようにリング状のリブ１９が上方に所定長さ突出して、例えばホルダ２１のリブ２１ｂの略中央位置まで突出して設けられる。また、筐体１１のリブ１９より上方に位置するホルダ２１側のリブ２１ｂの側方は、カバー１４により覆われ、外部からは見えないようになっている。上記筐体１１及びホルダ２１との間の横方向及び縦方向のクリアランスは、必要最低限に設定する。
【００２１】
上記ホルダ２１は、ホルダ本体２１ａの側部にネジ穴２４が設けられ、このネジ穴２４にビス２５を螺着し、締め付けて電子部品１２のシャフト２０に取付ける。このシャフト２０には、ビス２５に対応する位置に凹部２６が形成され、ビス２５が凹部２６において確実に固定されるようになっている。
【００２２】
また、ホルダ２１のホルダ本体２１ａには、ネジ穴２４とは反対側の外側下部近傍に操作つまみ２２を係止するための突起２７が設けられる。
【００２３】
上記操作つまみ２２は、ホルダ２１と嵌合する大きさに形成され、下側開口部の内周縁に沿って突条２８が設けられる。操作つまみ２２をホルダ２１に装着する際、突条２８がホルダ２１の突起２７に上側から当接するが、操作つまみ２２を上から強く押して圧力を加えることで、操作つまみ２２の弾性力により突条２８が突起２７を越えて突起２７の下側に位置する。これにより操作つまみ２２は、突条２８がホルダ２１の突起２７に係止されて装着位置が保持される。また、操作つまみ２２を上方に強く引き上げると、突条２８がホルダ２１の突起２７から外れるので取外すことができる。
【００２４】
上記操作つまみ２２は、ホルダ２１に嵌合された状態では、下側周縁部がホルダ２１に設けられたリブ２１ｂの上部外周に沿うと共に、カバー１４に設けられた開口部１５ａの外周縁に沿って位置し、ホルダ２１が外部から見えないようになっている。
【００２５】
また、ホルダ２１のホルダ本体２１ａには、例えばネジ穴２４の上方位置において切込み３１が設けられる。一方、操作つまみ２２には、内側上部に上記切込み３１に対応する位置に回り止め用突部３２が形成される。この回り止め用突部３２は、操作つまみ２２をホルダ２１に嵌合した際にホルダ本体２１ａの切込み３１内に挿入され、操作つまみ２２とホルダ２１が所定の位置関係に保持される。すなわち、操作つまみ２２を回動操作したときに、操作つまみ２２と一体にホルダ２１が回動されるようにし、操作つまみ２２の空回りを防止している。
【００２６】
上記の構成において、ホルダ２１を電子部品１２のシャフト２０に装着する際、リブ２１ｂの下側を筐体１１の上端に摺接あるいは微小な間隙を保って近接させた状態でビス２５を締め付けてシャフト２０に固定する。このときホルダ２１のリブ２１ｂは、外周面が筐体１１に設けたリブ１９の内周面に摺接あるいは微小な間隙を保って近接している。その後、上記ホルダ２１に操作つまみ２２を上側から嵌合させ、操作つまみ２２の内側に設けた突条２８をホルダ２１の突起２７に係止させて固定する。
【００２７】
このような状態において、例えば携帯無線機を誤って落下させる等の原因で、図３に示すように操作つまみ２２に例えば図示左方から矢印Ａで示す衝撃が加わったものとすると、ホルダ２１にはシャフト２０の基部Ｂ点を中心として時計方向に回転しようとする力が作用し、リブ２１ｂの右下側端から下方に向かう負荷Ｃ、及びリブ２１ｂの左下側端から左方に向かう負荷Ｄが掛かる。このときリブ２１ｂの右下側端から下方に向かう負荷Ｃは筐体１１が受け止め、リブ２１ｂの左下側端から左方に向かう負荷Ｄは筐体１１に設けたリブ１９が受け止めることで、ホルダ２１の回転を止める。この結果、電子部品１２のシャフト２０の変形は最小限に抑えられる。従って、電子部品１２のシャフト２０の曲がりや折損等の変形を確実に防止することができる。
【００２８】
また、操作つまみ２２に対してその他の方向から衝撃が加わった場合においても、上記の場合と同様に衝撃に伴う負荷を筐体１１及びリブ１９で受け止めてホルダ２１の回転を防止し、電子部品１２のシャフト２０の変形を最小限に抑えることができる。
【００２９】
また、筐体１１とホルダ２１によって変形防止構造が構成されることから、電子部品１２のシャフト２０に高い強度を必要としない。このため高強度のシャフトを用いた高価な電子部品を使用する必要がなく、コストの低下を図ることができる。
【００３０】
また、上記変形防止構造は、外観部品である操作つまみ２２とカバー１４によって覆われて製品の内部に収められるので、変形防止構造と外観部品を独立させることができ、外観デザインの表現の自由度が高くなり、色々な外観デザインへの応用が可能となる。
【００３１】
また、電子部品１２のシャフト２０にホルダ２１を装着し、このホルダ２１に操作つまみ２２を取付けることで、操作つまみ２２が内接する面積を大きくでき、且つホルダ２１と操作つまみ２２に適宜凹凸成形を施すことで、操作つまみ２２の空回りを確実に防止することができる。
【００３２】
電子部品１２のシャフト２０の回転可動範囲の制限を、ホルダ２１と筐体１１で凹凸関係を設ければ、回転可動範囲の終点で掛かるシャフト２０への負荷を吸収できると共に、電子部品１２の持つ可動範囲全てを使用しない場合に、ホルダ２１と筐体１１の凹凸関係で機械的制限を設けることが可能となる。例えば電子部品１２が音声ボリューム等の連続的に回転するものではなく、チャネル切替に用いられるような段階的な切替を行う場合に、例えば１チャネルから５チャネルまで対応した製品と、１チャネルから３チャネルまで対応した製品を同じ回転式スイッチを用いて、ホルダ２１と筐体１１の凹凸関係を変えることで異なった選択数に対応することができるようになる。例えばホルダ２１のリブ２１ｂの外側に突部を設けると共に、筐体１１のリブ１９の内周面に上記リブ２１ｂの突部が挿入される所定長さの溝を設け、この溝の長さによってリブ１９の回転可動範囲を規制することで、上記したように１チャネルから５チャネルまで対応した製品と、１チャネルから３チャネルまで対応した製品を同じ回転式スイッチを用いて構成することができる。
【００３３】
なお、本発明は、上記実施形態そのままに限定されるものではなく、実施段階ではその要旨を逸脱しない範囲で構成要素を変形して具体化できるものである。
【図面の簡単な説明】
【００３４】
【図１】本発明の一実施形態に係る操作つまみの変形防止構造を携帯無線機に実施した場合の例を示す要部分解斜視図である。
【図２】同実施形態における要部の外観構成を示す正面図である。
【図３】図２におけるＡ−Ａ線矢視断面図である。
【符号の説明】
【００３５】
１１…筐体、１２、１２ａ、１２ｂ…電子部品、１４…カバー、１５ａ、１５ｂ…筐体の開口部、１６…部品取付穴、１７…Ｏリング、１８…ナット、１９…筐体側リブ、２０…電子部品のシャフト、２１…ホルダ、２１ａ…ホルダ本体、２１ｂ…ホルダ側リブ、２２…操作つまみ、２４…ネジ穴、２５…ビス、２６…凹部、２７…突起、２８…突条、３１…切込み、３２…回り止め用突部。
【図１】
2010011329.tif 000003
【図２】
2010011329.tif 000004
【図３】
2010011329.tif 000005